(57)【要約】      （修正有）【課題】組み立てが簡単で、コンパクトで持ち運びに適し、表面に印刷がしやすい平板状パネルからなる携帯電話スタンドを提供する。【解決手段】平板状の携帯電話ホルダーパネル部２と、ホルダーパネル部２に着脱自在な平板状のホルダー支持パネル部３とからなり、ホルダーパネル部２に、ホルダー支持パネル部３を差し込んで係合するための係合用穴部を左右並べて２か所設ける。ホルダー支持パネル部３は、組み立てて載置した時にホルダーパネル部２を支える脚部を有し、脚部と反対側に、係合用穴部それぞれに裏面側から挿入してホルダーパネル部２の表面側に突出させる携帯電話載置部が左右に並べて２か所設けられている。また、携帯電話載置部の根元には、ホルダーパネル部２に携帯電話載置部を挿入した状態で固定させるための係合用窪み部を設ける。【選択図】図４
0003186271.tif 000002
【実用新案登録請求の範囲】
【請求項１】
携帯電話を立てかけて保持する携帯電話スタンドであって、
平板状の携帯電話ホルダーパネル部と、前記携帯電話ホルダーパネル部に着脱自在な平板状のホルダー支持パネル部とからなり、
前記携帯電話ホルダーパネル部が、前記ホルダー支持パネル部を差し込んで係合するための係合用穴部を左右並べて２か所設けてあり
前記ホルダー支持パネル部が、組み立てて載置した時に前記携帯電話ホルダーパネル部を支える脚部を有し、前記脚部と反対側には、前記係合用穴部それぞれに裏面側から挿入して前記携帯電話ホルダーパネル部の表面側に突出させる携帯電話載置部を左右に並べて２か所設けてあり、前記携帯電話載置部の根元には、前記携帯電話ホルダーパネル部に前記携帯電話載置部を挿入した状態で固定させるための係合用窪み部を設けてあり、
前記係合用穴部が、上方は穴の幅が前記携帯電話載置部を通せる幅である差込部で、下方は前記差込部より穴の幅が前記係合用窪み部の幅分だけ狭くしてある保持部であることを特徴とする携帯電話スタンド。
【請求項２】
前記携帯電話ホルダーパネル部は、さらに、下部に、表面側から裏面側に携帯電話に接続する端子コードを通すコード用窪み部を設けてあることを特徴とする請求項１に記載の携帯電話スタンド。
【考案の詳細な説明】
【技術分野】
【０００１】
本考案は、携帯電話を立てかけて保持する携帯電話スタンドに関する。
【背景技術】
【０００２】
携帯電話を充電しながら保持するための充電コネクター一体型の携帯電話スタンドは、従来から多数開発されている。これらは主に、家に帰ってきたときに携帯電話を充電するのに、上から差し込むだけで充電でき、便利であった（例えば、特許文献１参照）。
【先行技術文献】
【特許文献】
【０００３】
【特許文献１】特表２００６−５１６３８１号公報
【考案の概要】
【考案が解決しようとする課題】
【０００４】
しかし、近年、携帯電話は、スマートフォンを中心に、表面側に大画面を備えている平板上のものが増えてきている。このような携帯電話では、出先等でテレビ等の動画や静止画を見たい時に利用することも多く、その場合、手で持ったままであることはユーザにとって負担となる。また、動画等を長時間見る際に、充電しながら視聴することも多く、手で持ったままだと行動が著しく制限される。また、ハンズフリーでスピーカーを利用しての通話する際も、携帯電話の表面側を上に向けて机に置いた状態では、音声を拾いづらい。従来の携帯電話スタンドでは、かさばるために持ち歩きに不便で、出先での上記のような問題に対して対応しにくいという問題があった。また、特許文献１記載の携帯電話スタンドでは、構造が複雑なため、製造にコストがかかる。また、構造が複雑であると組み立て式でも、組み立てに時間がかかるという問題があった。また、携帯電話関連グッズでは、個性やファッション性の高いものを購入する人が増えている中、従来の携帯電話スタンドでは立体的構造であるため、表面に柄を印刷しにくく、柄のバリエーションを増やすのにコストがかかるという問題があった。
【０００５】
そこで、本考案は、組み立てが簡単で、コンパクトで持ち運びに適し、表面に印刷がしやすいことを可能とする携帯電話スタンドを提供することを目的とする。
【課題を解決するための手段】
【０００６】
本考案の第１の態様は、携帯電話を立てかけて保持する携帯電話スタンドであって、
平板状の携帯電話ホルダーパネル部と、前記携帯電話ホルダーパネル部に着脱自在な平板状のホルダー支持パネル部とからなり、
前記携帯電話ホルダーパネル部が、前記ホルダー支持パネル部を差し込んで係合するための係合用穴部を左右並べて２か所設けてあり
前記ホルダー支持パネル部が、組み立てて載置した時に前記携帯電話ホルダーパネル部を支える脚部を有し、前記脚部と反対側には、前記係合用穴部それぞれに裏面側から挿入して前記携帯電話ホルダーパネル部の表面側に突出させる携帯電話載置部を左右に並べて２か所設けてあり、前記携帯電話載置部の根元には、前記携帯電話ホルダーパネル部に前記携帯電話載置部を挿入した状態で固定させるための係合用窪み部を設けてあり、
前記係合用穴部が、上方は穴の幅が前記携帯電話載置部を通せる幅である差込部で、下方は前記差込部より穴の幅が前記係合用窪み部の幅分だけ狭くしてある保持部であることを特徴とする携帯電話スタンドを提供する。前記差込部に前記携帯電話載置部を挿入して前記係合用窪み部まで挿入した状態で前記ホルダー支持パネル部を前記携帯電話ホルダーパネル部の下方向へずらすことによって前記保持部で前記ホルダー支持パネル部が把持されて固定される。
【０００７】
前記携帯電話ホルダーパネル部は、さらに、下部に、表面側から裏面側に携帯電話に接続する端子コードを通すコード用窪み部を設けてあることが好ましい。
【考案の効果】
【０００８】
本考案の携帯電話スタンドは上述したように構成されており、本考案の携帯電話スタンドによれば、組み立てが簡単で、コンパクトで持ち運びに適し、表面に印刷がしやすいことを可能とする。使用時以外は２枚の平板に分離できるうえ、部品数が少なく、構造もシンプルであるので製造コストが抑えられる。また、本考案の携帯電話スタンドによれば、立て掛けたまま長時間動画を見ても疲れないし、スピーカー利用の通話でも音声を拾いやすくなる。
【図面の簡単な説明】
【０００９】
【図１】本考案の実施例１の携帯電話スタンドの（ａ）携帯電話ホルダーパネル部の裏面図、（ｂ）ホルダー支持パネル部の裏面図である。
【図２】本考案の実施例１の携帯電話スタンドの組み立て方法を示す図である。
【図３】本考案の実施例１の携帯電話スタンドの組み立て後の裏面側斜視図である。
【図４】本考案の実施例１の携帯電話スタンドの使用方法を示す説明図である。
【考案を実施するための形態】
【００１０】
以下、本考案の携帯電話スタンドの一実施形態について、図面を参照し実施例を用いて具体的に説明するが、本考案はこれらに限定されるものではない。
【実施例１】
【００１１】
本実施例１の携帯電話スタンドは、携帯電話を立てかけて保持する携帯電話スタンドであって、厚みのある平板状の携帯電話ホルダーパネル部２と、携帯電話ホルダーパネル部２に着脱自在な厚みのある平板状のホルダー支持パネル部３と、からなる携帯電話スタンド１である。本実施例１の携帯電話スタンド１は、２枚の平板状の部品を組み合わせるだけで使用可能な、携帯性に優れた携帯電話スタンドである。
【００１２】
図１は、本考案の実施例１の携帯電話スタンドの（ａ）携帯電話ホルダーパネル部の裏面図、（ｂ）ホルダー支持パネル部の裏面図である。携帯電話ホルダーパネル部２は、ホルダー支持パネル部３を差し込んで係合するための係合用穴部２１を左右並べて２か所設けてある。ホルダー支持パネル部３は、組み立てて載置した時に携帯電話ホルダーパネル部２を支える脚部３３を有し、脚部３３と反対側には、係合用穴部２１それぞれに裏面側から挿入して携帯電話ホルダーパネル部２の表面側に突出させる携帯電話載置部３１を左右に並べて２か所設けてあり、携帯電話載置部３１の根元には、携帯電話ホルダーパネル部２に携帯電話載置部３１を挿入した状態で固定させるための係合用窪み部３２を設けてある。また、携帯電話ホルダーパネル部２は、さらに、下部に、表面側から裏面側に携帯電話４に接続する端子コードを通すコード用窪み部２２を設けてある。コード用窪み部２２は、本実施例では下が開口部の逆Ｕ字型である。脚部３３は先端が左右２つに分かれている。本実施例では、脚部３３の根元側は２本の携帯電話載置部３１が伸びており、ホルダー支持パネル部３は下が開口部のコの字型の脚部３３の上に、根元側に係合用窪み部３２の窪みがある２本の携帯電話載置部３１が伸びている、ほぼＨ型の形状である。係合用窪み部３２は本実施例では、携帯電話載置部３１それぞれの内側面にある窪みであるが、外側面側にあってもよい。
【００１３】
係合用穴部２１は、上方は穴の幅が携帯電話載置部３１を通せる幅である差込部２１１で、下方は差込部２１１より穴の幅が前係合用窪み部３２の幅分だけ狭くしてある保持部２１２である。すなわち、係合用穴部２１は、上部が幅広で下部が幅狭の段差のある穴となっている。
【００１４】
本実施例では、携帯電話ホルダーパネル部２及びホルダー支持パネル部３はＡＢＳ樹脂製であるが、他のプラスチックや木材等、強度があって印刷可能な素材であれば他の素材でもよい。本実施例では、携帯電話ホルダーパネル部２は、横幅が約９ｃｍ、縦長が約１８ｃｍで厚さが約３ｍｍ程度の板状で、ホルダー支持パネル部３は、横幅と厚みが携帯電話ホルダーパネル部２と同じで、縦長が約１０ｃｍ程度の板状であるが、これに限らず、しかし、携帯電話の大きさと比較して大きすぎないことが好ましい。携帯電話ホルダーパネル部２もホルダー支持パネル部３も平板状であり、突起等もないので、持ち運び時には各部品をバラバラにして平板２枚を持ち歩くだけで済み、コンパクトで携帯性に優れる。また、携帯電話ホルダーパネル部２もホルダー支持パネル部３も平板状であることによって、製造過程を単純化でき、また表面の印刷が極めて容易となる。したがって、種々の柄のバリエーションを揃える場合でも製造コストを抑えることができ、ユーザは安価にファッション性のある携帯電話スタンドを手に入れることができる。携帯電話ホルダーパネル部２もホルダー支持パネル部３も、表面側のエッジ部分は斜めにカットされている。このため、デザイン性に優れ、携帯時の引っ掛け等のトラブルを防止でき、また着脱作業が滑らかにできる。
【００１５】
図２は、本考案の実施例１の携帯電話スタンドの組み立て方法を示す図である。本実施例では、携帯電話ホルダーパネル部２の裏面側からホルダー支持パネル部３を挿入して組み立てる。ホルダー支持パネル部３の携帯電話載置部３１の部分を携帯電話ホルダーパネル部２の差込部２１１に挿入し、ホルダー支持パネル部３の係合用窪み部３２の部分まで差し込む。係合用穴部２１内の保持部２１２は、幅が狭いため、携帯電話載置部３１の先端は入らず、係合用穴部２１内の差込部２１１において挿入することになる。ホルダー支持パネル部３は、Ｈ型で携帯電話載置部３１の根元側は繋がって脚部３３になっているため、係合用窪み部３２より先は挿入できない。係合用窪み部３２まで差し込んだら、係合用窪み部３２までを差し込んだ状態で、係合用穴部２１内の保持部２１２にホルダー支持パネル部３を下方向にずらして落とし込むことによって係合させる。係合用窪み部３２の部分では、保持部２１２の穴に嵌る程度に携帯電話載置部３１の幅が狭くなるように窪んでいる。係合用窪み部３２より先端側の携帯電話載置部３１は幅が広いため、差込部２１１と保持部２１２の段差部分がストッパーとなり、ホルダー支持パネル部３がホルダー支持パネル部３の裏面側にずれることがない。一方、携帯電話載置部３１の根元側は脚部３３として繋がっているところでストッパーとなり、ホルダー支持パネル部３がホルダー支持パネル部３の表面側にずれることがない。かかる構成により、保持部２１２でホルダー支持パネル部３が把持されて固定されるため、ずれて崩れないよう互いに支え合うことができ、使用時には携帯電話を載せても十分な強度を保つことができる。
【００１６】
図３は、本考案の実施例１の携帯電話スタンドの組み立て後の裏面側斜視図である。組み立て後は、携帯電話ホルダーパネル部２がホルダー支持パネル部３に支えられ、やや後ろ側に傾斜して固定される。裏面側から見ると、携帯電話ホルダーパネル部２の裏面がホルダー支持パネル部３の脚部３３の根元側に接して支えられていることが分かる。
【００１７】
図４は、本考案の実施例１の携帯電話スタンドの使用方法を示す説明図である。携帯電話４は、携帯電話載置部３１の上に載せて、携帯電話ホルダーパネル部２の表面側にもたれさせて固定する。出先でも、手軽に組み立てて使用できる。斜め上方向に画面を向けることができるので、立て掛けたまま長時間動画を見ても疲れないし、スピーカー利用の通話でも音声を拾いやすくなる。
【００１８】
本実施例によれば、組み立てが簡単で、コンパクトで持ち運びに適し、表面に印刷がしやすいことを可能とする。本実施例によれば、使用時以外は２枚の平板に分離できるし、着脱は、穴への抜き差しだけで完了する。また、部品数が少なく、構造もシンプルであるので、製造コストが抑えられる。
【００１９】
なお、本考案は、上記実施の形態に限定されず、その考案の趣旨を逸脱しない範囲で種々と変形実施が可能である。例えば、脚部は本実施例では左右２つに先端が分かれているが、分かれていなくてもよい。
【符号の説明】
【００２０】
１      携帯電話スタンド
２      携帯電話ホルダーパネル部
２１    係合用穴部
２１１  差込部
２１２  保持部
２２    コード用窪み部
３      ホルダー支持パネル部
３１    携帯電話載置部
３２    係合用窪み部
３３    脚部
４      携帯電話
【図１】
0003186271.tif 000003
【図２】
0003186271.tif 000004
【図３】
0003186271.tif 000005
【図４】
0003186271.tif 000006